(57)【要約】【課題】同一の記録内容を異なる印刷用紙に印刷するカーボンプリントモードの印刷物を用途別又はセット別に仕分けて排出するようにした画像記録装置を提供する。【解決手段】複数の給紙手段２１１ａ〜２１１ｃに、それぞれ異なる種類の印刷用紙を収納して、それぞれの印刷用紙に、同一の記録内容を印刷するカーボンプリントモードでの印刷が可能なフォームオーバーレイ方式の画像記録装置１において、原稿のページ数が複数の時と１ページの時とで区別を行い、種類別又はセット別で印刷物を提供できるように、給紙、印刷、排紙の各動作を制御する制御手段２３０を設けている。【選択図】  図１
2004202993.tif 000002
【特許請求の範囲】
【請求項１】
複数の給紙手段にそれぞれ異なる種類の印刷用紙を収納して、前記異なる種類の印刷用紙に同一の記録内容を印刷するカーボンプリントモードでの印刷が可能な画像記録装置において、
原稿のページ数が複数の時と１ページの時とで区別を行い、それぞれ適切に選別された状態の印刷物を提供できるように、給紙、印刷、排紙の各動作を制御する制御手段を設けたことを特徴とする画像記録装置。
【請求項２】
前記原稿のページ数が複数の時には、前記印刷物が種類別に排出されることを特徴とする請求項１に記載の画像記録装置。
【請求項３】
前記原稿のページ数が１ページの時には、種類別の印刷部数がそれぞれ等しい場合、前記印刷物がセット別に排出される一方、印刷部数が前記種類別に異なる場合、前記印刷物が種類別に排出されることを特徴とする請求項１に記載の画像記録装置。
【請求項４】
前記原稿のページ数が１ページであり、かつ、前記原稿の内どれか一つの原稿の種類別の印刷部数が複数である場合、前記印刷物が種類別に排出されることを特徴とする請求項１に記載の画像記録装置。
【請求項５】
複数の排紙手段を備え、印刷物を種類別に排出させる場合、前記印刷物が種類別に異なる前記排紙手段に排出されることを特徴とする請求項１ないし４のいずれかに記載の画像記録装置。
【請求項６】
複数の排紙手段を備え、印刷物をセット別に排出させる場合、前記印刷物がセット別に異なる前記排紙手段に排出されることを特徴とする請求項１ないし４のいずれかに記載の画像記録装置。
【請求項７】
少なくとも単一の給紙手段と、複数の排紙手段と、印刷、排紙の各動作を制御する制御手段とを備え、印刷用紙に同一の記録内容を印刷するカーボンプリントモードでの印刷が可能な画像記録装置において、
前記給紙手段には、異なる種類の印刷用紙が任意の枚数収納されており、かつ、原稿のページ数が複数である場合、前記制御手段からの指令により、前記給紙手段から給紙される印刷用紙に対して同一の記録内容を印刷した後、各印刷物が種類別に異なる前記排紙手段へ排出されることを特徴とする画像記録装置。
【請求項８】
少なくとも単一の給紙手段と、複数の排紙手段と、印刷、排紙の各動作を制御する制御手段とを備え、印刷用紙に同一の記録内容を印刷するカーボンプリントモードでの印刷が可能な画像記録装置において、
前記給紙手段には、異なる種類の印刷用紙が任意の枚数収納されており、かつ、原稿の出力セット部数が複数の場合、前記制御手段からの指令により、前記給紙手段から給紙される印刷用紙に対して同一の記録内容を印刷した後、各印刷物がセット別に異なる前記排紙手段へ排出されることを特徴とする画像記録装置。
【請求項９】
少なくとも単一の給紙手段と、複数の排紙手段と、印刷、排紙の各動作を制御する制御手段とを備え、印刷用紙に同一の記録内容を印刷するカーボンプリントモードでの印刷が可能な画像記録装置において、
前記給紙手段には、異なる種類の印刷用紙が任意の枚数収納されており、かつ、原稿の出力セット部数が複数の場合、前記制御手段からの指令により、前記給紙手段から給紙される印刷用紙に対して同一の記録内容を印刷した後、各印刷物が種類別に異なる前記排紙手段への排出されることを特徴とする画像記録装置。
【請求項１０】
前記排紙手段の数が、前記印刷用紙の種類の数、もしくは、出力セット部数よりも少ない場合には、同一排紙手段にセット毎の印刷物が排出されることを特徴とする請求項７ないし９のいずれかに記載の画像記録装置。
【発明の詳細な説明】
【０００１】
【発明の属する技術分野】
本発明は、同一の記録内容を異なる種類の印刷用紙に印刷するカーボンプリントモードでの印刷が可能なフォームオーバーレイ方式の画像記録装置に関する。
【０００２】
【従来の技術】
従来、デジタル複合機により、例えば、各種帳票や伝票のような複数枚綴りの一連の記録物を作成するために、同一の記録内容をカーボンプリントモードで印刷する場合、主として、フォームオーバーレイ方式が採用されている。
【０００３】
この方式では、例えば、異なる複数種類の記録用紙からなる複数枚綴りの一連の記録物を完成させるために、予め複数の給紙トレイに、それぞれ異なる種類の記録用紙を分類してセットするようにした印刷装置が提案されている（例えば、特許文献１参照）。
【０００４】
この印刷装置では、画像を記録する際に、記録用紙を供給する給紙トレイを切り換えて、各記録用紙に原稿の画像とフォームオーバーレイの画像を順次記録して、一連の記録物を完成するように構成されている。
【０００５】
【特許文献１】
特開平１１−１０５３６７号公報（図２、段落「００１８」〜「００２４」）
【０００６】
【発明が解決しようとする課題】
伝票等では、印刷後に、通常、用途（又は目的）に応じて仕分ける必要があるが、上記特許文献１には、その記録物の排出動作については何ら記載されていないため、複数の用途が混在した状態で排紙トレイに排出されると、ユーザーが用途別に記録物を選別しなければならず、その作業が面倒であった。
【０００７】
特に、複数ページの原稿をカーボンプリントモードで印刷する場合や、原稿に対して複数セット部数のカーボンプリントモードでの印刷を行なう場合等では、種類毎に部数を変えて印字動作を行うため、印刷出力枚数が増えることから、記録物の仕分けがより一層面倒となり、そのために少なからぬ時間を要していた。
【０００８】
また、任意の枚数で、最初から綴られている形で市販されている用紙に対して、従来のデジタル複合機で、伝票のような一連の記録物の印刷を行おうとすると、印刷順序は、ページ順にしなければ、正しく印刷が行えず、利用者がその指定を誤ると、記録物の印刷結果も誤りとなることがあり、使い勝手がよくなかった。また、たとえ、正しく印刷が行えたときでも、種類単位での仕分けは不可能であり、ユーザーによる手作業での記録物の並べ替えが必要であった。
【０００９】
本発明は、このような実情に鑑みてなされ、同一の記録内容を異なる種類の印刷用紙に印刷するカーボンプリントモードの印刷物を種類別又はセット別に仕分けて排出するようにした画像記録装置を提供することを目的とする。
【００１０】
【課題を解決するための手段】
本発明は、上述の課題を解決するための手段を以下のように構成している。
【００１１】
（１）複数の給紙手段にそれぞれ異なる種類の印刷用紙を収納して、前記異なる種類の印刷用紙に同一の記録内容を印刷するカーボンプリントモードでの印刷が可能な画像記録装置において、
原稿のページ数が複数の時と１ページの時とで区別を行い、それぞれ適切に選別された状態の印刷物を提供できるように、給紙、印刷、排紙の各動作を制御する制御手段を設けたことを特徴とする。
【００１２】
この構成においては、原稿が伝票である場合には、その内容が１ページの複数枚綴りの記録物である場合と、原稿のページ数が複数、即ち、冊子形式の記録物である場合と、の間での各動作上の取り扱い区別が可能となり、用途（又は目的）別やセット別等に適切に選別された状態で印刷物を排出させることができ、利便性が向上する。
【００１３】
（２）前記原稿のページ数が複数の時には、前記印刷物が種類別に排出されることを特徴とする。
【００１４】
この構成においては、原稿が複数枚の場合、カーボンプリントモードでの印刷後に、印刷物が種類別に排出されるため、例えば、用途別、目的別等の仕分けが可能となり、従来のように、利用者が手作業で、印刷物を選り分けたり並べ替えるような面倒な手間を省くことができる。
【００１５】
（３）前記原稿のページ数が１ページの時には、種類別の印刷部数がそれぞれ等しい場合、前記印刷物がセット別に排出される一方、印刷部数が前記種類別に異なる場合、前記印刷物が種類別に排出されることを特徴とする。
【００１６】
この構成においては、伝票のように、種類別の印刷部数がそれぞれ等しい場合、複数枚綴りの一連の記録物を各セット単位で給紙、印刷、排紙を行い、セット別に排出された印刷物を得ることができ、利用者は、排紙後の印刷物の整理、扱いが容易になる。なお、「セット」とは、各用途（又は目的）の同一記録内容の印刷物が一揃えになったものを指し、例えば、宅配便の伝票の場合、同一記録内容で用途又は目的がそれぞれ異なる「客用控」「運賃請求用」「荷札用」の３つが１セットとなっている。
【００１７】
また、印刷部数が種類別に異なる場合には、各種類単位で、給紙、印刷、排紙を行い、（用途別又は目的別の）種類単位で排出された印刷物を得ることができ、利用者は、排紙後の印刷物の整理、扱いが容易になる。
【００１８】
（４）前記原稿のページ数が１ページであり、かつ、前記原稿の内どれか一つの原稿の種類別の印刷部数が複数である場合、前記印刷物が種類別に排出されることを特徴とする。
【００１９】
この構成においては、伝票のような複数枚綴りの一連の記録物を各種類単位で給紙、印刷、排紙を行い、印刷物が（用途別又は目的別の）種類単位で排出されるため、利用者は、排紙後の印刷物の整理、扱いが容易になる。
【００２０】
（５）複数の排紙手段を備え、印刷物を種類別に排出させる場合、前記印刷物が種類別に異なる前記排紙手段に排出されることを特徴とする。
【００２１】
この構成においては、カーボンプリントモードでの印刷を行った後、複数の排紙手段（排紙トレイ等）の位置を変化させることにより、又は、排紙経路を変更することにより、排紙過程における印刷物の種類別の選別（区分け、仕分け）作業をより明確に行え、利用者にとっては印刷物の整理、取り扱いがさらに容易となる。
【００２２】
（６）複数の排紙手段を備え、印刷物をセット別に排出させる場合、前記印刷物がセット別に異なる前記排紙手段に排出されることを特徴とする。
【００２３】
この構成においては、カーボンプリントモードでの印刷を行った後、排紙手段（排紙トレイ等）の位置を変化させることにより、又は、排紙経路を変更することにより、排紙過程における印刷物のセット別の選別（区分け、仕分け）作業をより明確に行え、利用者にとっては印刷物の整理、取り扱いがさらに容易となる。
【００２４】
（７）少なくとも単一の給紙手段と、複数の排紙手段と、印刷、排紙の各動作を制御する制御手段とを備え、印刷用紙に同一の記録内容を印刷するカーボンプリントモードでの印刷が可能な画像記録装置において、
前記給紙手段には、異なる種類の印刷用紙が任意の枚数収納されており、かつ、原稿のページ数が複数である場合、前記制御手段からの指令により、前記給紙手段から給紙される印刷用紙に対して同一の記録内容を印刷した後、各印刷物が種類別に異なる前記排紙手段へ排出されることを特徴とする。
【００２５】
この構成においては、例えば、原稿のページ数が２ページの場合、カーボンプリントモードでの印刷を行った後、排紙手段（排紙トレイ等）の位置を変化させることにより、又は、排紙経路を変更することにより、各印刷物が、それぞれ種類別（用途別又は目的別）に、例えば、３つの異なる排紙手段に選別（区分け、仕分け）されて排出されるため、印刷物の整理、取り扱いがさらに容易となる。
【００２６】
（８）少なくとも単一の給紙手段と、複数の排紙手段と、印刷、排紙の各動作を制御する制御手段とを備え、印刷用紙に同一の記録内容を印刷するカーボンプリントモードでの印刷が可能な画像記録装置において、
前記給紙手段には、異なる種類の印刷用紙が任意の枚数収納されており、かつ、原稿の出力セット部数が複数の場合、前記制御手段からの指令により、前記給紙手段から給紙される印刷用紙に対して同一の記録内容を印刷した後、各印刷物がセット別に異なる前記排紙手段へ排出されることを特徴とする。
【００２７】
この構成においては、例えば、原稿が１ページで２セットの場合、カーボンプリントモードでの印刷を行った後、排紙手段（排紙トレイ等）の位置を変化させることにより、又は、排紙経路を変更することにより、記録物を、それぞれセット別に２つの異なる排紙手段へ選別（区分け、仕分け）されて排出されるため、印刷物の整理、取り扱いがさらに容易となる。
【００２８】
（９）少なくとも単一の給紙手段と、複数の排紙手段と、印刷、排紙の各動作を制御する制御手段とを備え、印刷用紙に同一の記録内容を印刷するカーボンプリントモードでの印刷が可能な画像記録装置において、
前記給紙手段には、異なる種類の印刷用紙が任意の枚数収納されており、かつ、原稿の出力セット部数が複数の場合、前記制御手段からの指令により、前記給紙手段から給紙される印刷用紙に対して同一の記録内容を印刷した後、各印刷物が種類別に異なる前記排紙手段への排出されることを特徴とする。
【００２９】
この構成においては、例えば、原稿が１ページで３セットの場合、カーボンプリントモードでの印刷を行った後、排紙手段（排紙トレイ等）の位置を変化させることにより、又は、排紙経路を変更することにより、印刷物が、それぞれ種類別（用途別又は目的別）に３つの異なる排紙手段へ選別（区分け、仕分け）されて排出されるため、印刷物の整理、取り扱いがさらに容易となる。
【００３０】
（１０）前記排紙手段の数が、前記印刷用紙の種類の数、もしくは、出力セット部数よりも少ない場合には、同一排紙手段にセット毎の印刷物が排出されることを特徴とする。
【００３１】
排紙手段（排紙トレイ等）の数が印刷用紙の種類の数、もしくは出力セット部数よりも少ない場合は、基本的に各排紙手段に種類（用途）毎やセット毎に出力できず、出力したとしても、無理やり分散させて各排紙手段に出力せざるを得ない。
【００３２】
そこで、この構成においては、出力されたものがどのように分散されて出力されているかを利用者が判別できるように、従来方式の出力モード、つまりセット毎に出力する方式を採用し、印刷物の整理、取り扱いに要する手間を少なくしている。
【００３３】
【発明の実施の形態】
以下に、本発明の実施の一形態に係る画像記録装置について図面を参照しつつ詳細に説明する。
図１は、画像記録装置としてのデジタル複合機１の構成を示し、この画像記録装置１は、画像読み取り部１１０、操作部１１２、画像形成部２１０、機器制御部２３０、通信部２４０、ハードディスク２５０、管理部２７０、給紙部２１１および排紙部２２０を備え、ＬＡＮ等のネットワークを介して、パーソナルコンピュータ（ＰＣ）（１）（２）に接続されている。
【００３４】
上述の給紙部２１１は、それぞれ異なる印刷用紙を収納する複数の給紙トレイ（本発明の給紙手段）２１１ａ，２１１ｂ，２１１ｃを有し、また、排紙部２２０は、印刷された記録物を用途別又はセット別に排出するための複数の排紙トレイ（本発明の排紙手段）２２０ａ，２２０ｂ，２２０ｃを備えている。
【００３５】
上述の画像読み取り装置１１０は、例えば、画像データを入力するためのＣＣＤ読み取り装置１１６を備えており、操作部１１２は、各種入力キーなどを備えた入力部１１２ａとＬＣＤなどの表示手段を備えた表示部１１２ｂを有し、装置の操作や条件を入力したり、また、条件などを表示する。
【００３６】
画像形成部２１０は、揮発性メモリ２６０とＬＳＵ（レーザー走査ユニット）などの印字部２２７を有しており、画像データ記憶手段に記憶されている画像データを出力する。また、機器制御部（本発明の制御手段）２３０は、デジタル複合機を構成する各部の動作を監視すると共に、複合機として的確な動作を行うように給紙、印刷、排紙の各過程を含む装置全体を制御する。通信部２４０は、ネットワーク上に設置されたパーソナルコンピュータなどのクライアントマシン間との通信を制御する。
【００３７】
ハードディスク（ＨＤ）２５０は、各入力手段（入力経路：デジタル複合機として搭載された各モード、例えば、スキャナ、ファックス、ネットワーク等）から入力された画像データを記憶する。画像データ記憶手段は、磁気記憶媒体を備えた記憶装置として構成することができる。また、管理部２７０は、上記、機器制御部２３０における装置各部の制御に必要な情報などを管理している。
【００３８】
給紙部２１１は、前述したように、例えば、３つの給紙トレイ１（２１１ａ），給紙トレイ２（２１１ｂ），給紙トレイ３（２１１ｃ）を有し、上記操作部１１２やネットワークで接続されたＰＣ（１）等からの印刷指示があった場合、ユーザーにより指定された用紙サイズの印刷用紙を画像形成部２１０へ給紙する。
【００３９】
排紙部２２０は、前述したように、例えば、３つの排紙トレイ１（２２０ａ），排紙トレイ２（２２０ｂ），排紙トレイ３（２２０ｃ）を有し、画像形成部２１０で印刷された記録物を収納する。そして、操作部１１２やＰＣ（１）等からの印刷指示があった場合、排紙トレイの位置を変化させることにより、又は、排紙トレイへの排紙経路を変更することにより、ユーザーの指定する排紙トレイ１ないし３への記録物の選択的な出力が可能とされ、また、複数部の印刷物を複数の排紙トレイに仕分けすることもできる。
【００４０】
次に、上記構成のデジタル複合機１に対して、ネットワークを介して接続されているＰＣ（１）などの外部機器から転送されたデータに基づいて、印刷処理をする場合について説明する。なお、以下の説明において、給紙トレイ１，２，３は、それぞれ、図１における２１１ａ，２１１ｂ，２１１ｃに対応し、また、排紙トレイ１，２，３は、それぞれ、図１における２２０ａ，２２０ｂ，２２０ｃに対応する。
【００４１】
《実施の形態１》
ＰＣ（１）にて、上記デジタル複合機１に対して、印刷処理を指示する場合には、まず、図２に示すように、ＰＣ（１）の表示部３００に、印刷処理指示画面３０１を表示する。印刷処理指示画面３０１は、各種の印刷条件を表示すると共に、印刷処理を実行するための印刷条件の設定を行う。
【００４２】
この印刷処理指示画面３０１は、例えば、利用する機能を選択するためのチェックボックス３０２（チェックを入れることにより、当該機能が利用可能となる）、給紙トレイを選択するためのチェックボックス（チェックを入れることにより、その給紙トレイから給紙する）３０３，３０４，３０５，３０６、印刷部数を入力するためのチェックボックス３０７，３０８，３０９，３１０、ＰＣ（１）上に記憶されている複合機本体の用紙サイズを表示する用紙サイズ表示部３１１、印刷された記録物の排紙方法を自動設定とするか、又は、種類単位で印刷、セット単位に印刷するかということを手動で決定する選択肢３１２、上記各設定動作の設定完了を示す設定キー３１３等を備えている。
【００４３】
利用者は、この印刷処理指示画面３０１を用いて、各種の印刷条件の設定を行う。例えば、図３に示すような１ページの原稿を、３枚綴りの記録物として、２セット印刷処理を行いたいときは、利用者は、印刷処理指示画面３０１において、カーボンプリントモードを適用するかどうかを決定するチェックボックス３０２にチェックを入れて、カーボンプリント機能を適用し、画面下の各種印刷処理条件の設定を可能にする。
【００４４】
そして、給紙トレイ１（２１１ａ）のチェックボックス３０３と給紙トレイ２（２１１ｂ）のチェックボックス３０４と給紙トレイ３（２１１ｃ）のチェックボックス３０５にチェックを入れ、給紙トレイ１の部数入力個所３０７に“２"を入力、同様にトレイ２の部数入力個所３０８に“２"を入力、トレイ３の部数入力個所３０９に“２"を入力する。
【００４５】
このとき、デジタル複合機１の給紙トレイの用紙サイズを示す用紙サイズ表示部３１１上で、最初にチェックを入れた給紙トレイの用紙サイズと異なる給紙トレイの項目、つまり、手差しトレイのチェックボックス３０６と、部数設定欄３１０は設定が不可能となる。
【００４６】
さらに、記録物の排紙方法を決定する選択肢３１２において、排紙方法の決定を「自動」とすることにより、１セット目は、排紙トレイ１（２２０ａ）から、２セット目は排紙トレイ２（２２０ｂ）から排紙が行われるように設定される。印刷、排紙順の決定方法の詳細は、後述の転送データのフローチャートを示す図６を参照して行う。
【００４７】
以上の設定を行った後に、設定キー３１３を押下し、通常の印刷キーを押すと、ＰＣ（１）からネットワークを介して、デジタル複合機１に、伝票の印刷処理に関するデータが転送される。
【００４８】
また、図４に示すような複数ページの冊子を医師用に２部、患者用に１部、保管用に１部というように、それぞれ異なった印刷用紙に対して、印刷処理を行いたい場合は、利用者は、図２の印刷処理指示画面３０１において、カーボンプリントモードを適用するかどうかを決定するチェックボックス３０２にチェックを入れて、カーボンプリント機能を適用し、画面下の各種印刷処理条件の設定を可能にする。
【００４９】
そして、給紙トレイ１（２１１ａ）のチェックボックス３０３と給紙トレイ２（２１１ｂ）のチェックボックス３０４と給紙トレイ３（２１１ｃ）のチェックボックス３０５にチェックを入れ、トレイ１の部数入力個所３０７に“２"を入力、同様に給紙トレイ２の部数入力個所３０８に“１"を入力、トレイ３の部数入力個所３０９に“１"を入力する。
【００５０】
このとき、デジタル複合機１の給紙トレイの用紙サイズを示す表示部３１１上で、最初にチェックを入れた給紙トレイの用紙サイズと異なる給紙トレイの項目、つまり、手差しトレイのチェックボックス３０６と、部数設定欄３１０は設定が不可能となるのは、上記図３の場合と同様である。
【００５１】
さらに、記録物の排紙方法を決定する選択肢３１２において、排紙方法の決定を「自動」とすることにより、給紙トレイ１（２１１ａ）から給紙して印刷した医師用の記録物は排紙トレイ１（２２０ａ）に、給紙トレイ２（２１１ｂ）から給紙して印刷した患者用の記録物は排紙トレイ２（２２０ｂ）に、給紙トレイ３（２１１ｃ）から給紙して印刷した保管用の記録物は排紙トレイ３（２２０ｃ）に、それぞれ排出されるように設定が行われる。なお、印刷、排紙順の決定方法の詳細は、後述の転送データのフローチャートを示す図６により説明する。
【００５２】
以上の設定を行った後に、設定キー３１３を押下し、通常の印刷キーを押すと、ＰＣ（１）からネットワークを介して、デジタル複合機１に、伝票の印刷処理に関するデータが転送される。
【００５３】
ＰＣ（１）から転送されてくる転送データは、図５に示すように、印刷処理に関する指示情報と、ページ毎のページ情報とを備えている。上記指示情報は、記録用紙のサイズ、印刷枚数、選択された給紙トレイに関する情報、また、特にカーボンプリントモードの場合は、どの給紙トレイから、何部、給紙を行うかといった情報が含まれている。
【００５４】
また、各ページのページ情報は、印刷処理によって記録用紙に記録される各ページの画像データである。このページ情報の量は、印刷処理を行うページ数に応じて変化する。
【００５５】
例えば、上記転送データが、図３で示されるような３枚綴りの伝票である場合には、図５に示すように、指示情報として、用紙サイズ、印刷枚数などの情報とともに、プリントモードがカーボンプリントであること、給紙トレイ１（２１１ａ）、給紙トレイ（２１１ｂ）、給紙トレイ３（２１１ｃ）のそれぞれから、一枚づつ給紙を行う動作を２回行うという情報が含まれる。また、このとき、ページ情報は、６ページ分の画像データ（給紙トレイの数３Ｘセット数２）ではなく、原稿が１ページであるから、１ページ分の画像データによって、印刷処理が可能である。
【００５６】
このような記録物に関する上記転送データは、図１に基づいて説明したように、通信部２４０にて受信され、一旦、ハードディスク（ＨＤ）２５０に保存される。その後、図６に示すフローチャートに従って、画像形成部２１０にて、印刷処理が行われる。すなわち、図２に示す印刷処理指示画面３０１上にて、カーボンプリント機能が適用されたデータが転送されると、図６のステップｓ５０１にて、デジタル複合機１（図１参照）の通信部２４０が、図５に示す転送データを受信する。ステップｓ５０２では、受信した転送データをハードディスク（ＨＤ）２５０に保存し、ステップｓ５０３に進む。
【００５７】
ステップｓ５０３では、図１に示す機器制御部２３０が、管理部２７０にて管理されている給紙トレイの情報に基づき、上記転送データの指示情報に含まれる選択された給紙トレイに収容された用紙のサイズが、ＰＣ（１）上に記憶されているデジタル複合機１の用紙サイズと異なったと判定された場合は、ステップｓ５０４に進み、ＰＣ（１）の表示部３０（図２参照）に、確認メッセージを表示する（図示せず）。
【００５８】
ステップｓ５０５では、利用者がこの確認メッセージを確認し、図２に示す印刷処理指示画面３０１上で、給紙トレイの変更（選択した給紙トレイの用紙サイズの設定を変更する、又は、選択したトレイを別の適するトレイに変更する）が行われたか否かを判定する。
【００５９】
ステップｓ５０５にて、給紙トレイの変更がなされれば、ステップｓ５０３に戻って上記の判定を再び、行う。一方、ステップｓ５０５にて、給紙トレイの変更を行わなければ、あるいは、利用者による、ジョブのキャンセルが行われなければ、給紙トレイの変更が行われるまで待機する。
【００６０】
ステップｓ５０３にて、全ての記録用紙のサイズが適当であると判定されると、ステップｓ５０６にて、原稿のページ数が、複数であるか、１ページであるか判定する。原稿のページ数が複数であった場合は、ステップｓ５０８に進み、種類単位で印刷、排紙される。例えば、図４の場合は、
（１）医師用の１部目、１ページ→２ページ→３ページが排紙トレイ１（２２０ａ）
（２）医師用の２部目、１ページ→２ページ→３ページが排紙トレイ１（２２０ｂ）
（３）患者用の１ページ→２ページ→３ページが排紙トレイ２（２２０ｂ）
（４）保管用の１ページ→２ページ→３ページが排紙トレイ３（２２０ｃ）
の順に印刷、排紙される。
【００６１】
この例では、種類毎に異なる排紙トレイに出力しているが、排紙トレイが１つしかない場合や、用紙の種類の数より少ない場合は、同一の排紙トレイに出力してもよい。
【００６２】
ステップｓ５０６において、原稿のページ数が１ページだった場合は、ステップｓ５０７に進み、記録物のセット数について判定する。ここでいう記録物のセット数とは、印刷処理指示画面３０１の中の各給紙トレイから給紙される部数の設定箇所３０７、３０８、３０９、３１０（図２）の設定値が全て等しかった場合の値である。
【００６３】
例えば、チェックボックス３０７、３０８、３０９、３１０のそれぞれの設定値が“１”だった場合、記録物のセット数は１と判定される。それに対して、３０７の設定値が“２”で、３０８の設定値が“１”だった場合は、セットとして認識されず、ステップｓ５０８にて種類単位での出力となる。このセット数がステップｓ５０７にて複数と判定されると、ステップｓ５０９にて、各セット単位の出力となる。
【００６４】
すなわち、図４の場合、給紙トレイ１の用紙による記録物→給紙トレイ２の用紙による記録物→給紙トレイ３による記録物（１セット目）：排紙トレイ１→給紙トレイ１の用紙による記録物→給紙トレイ２の用紙による記録物→給紙トレイ３による記録物（２セット目）：排紙トレイ２の順に、印刷、排紙される。なお、この実施の形態においては、１ページの複数セットの場合は、ステップｓ５０９にて、各排紙トレイにセット毎の出力としたが、同様の場合でも、機種の仕様によっては、ステップｓ５０８に進み、種類毎の排紙を可能としてもよい（請求項４参照）。
【００６５】
この例では、セット毎に異なる排紙トレイに出力しているが、排紙トレイが１つしかない場合や、用紙の種類の数より少ない場合は、同一の排紙トレイに出力してもよい。
【００６６】
ステップｓ５０６において、原稿のページ数が１ページで、かつ、記録物のセット数が単数であった場合は、ステップｓ５１０にて、全ての記録物が単一の排紙トレイに排紙される。全ての記録物が、単一のトレイに排紙される点が、記録物のセット数が複数であったときと異なる。なお、これまでの印刷、排紙の順序に関し、設定が自動の場合について述べているが、利用者による手動の設定も行える。
【００６７】
最後に、ステップｓ５１１にて、選択された全ての給紙トレイに記録用紙が収容されているか否かを判断する。ステップｓ５１１にて、選択された全ての給紙トレイに記録用紙が収容されていると判定されれば、カーボンプリント機能による印刷処理は終了する。
【００６８】
これに対し、記録用紙が収容されていない給紙トレイが一つでもあると判定されれば、ステップｓ５１２に進み、ＰＣ（１）の印刷処理指示画面３０１（図２参照）、又は、デジタル複合機１の表示部１１２ｂ（図１参照）に、確認メッセージを表示し（図示しない）、ステップｓ５１１に戻り、再び、判定を行う。選択された全ての給紙トレイへ、用紙の補給が完了したならば、カーボンプリント機能による印刷処理は終了する。
【００６９】
《実施の形態２》
本実施の形態では、デジタル複合機については、実施の形態１と同様であるため説明を省略し、印刷処理の過程について図１０を参照して説明する。
【００７０】
本実施の形態は、図７に示されるように、あらかじめ任意の枚数に綴られている印刷用紙（図７の場合は、４枚綴り）を用いて、複数枚綴りの伝票などの記録物を作成する際に適用される。この任意の枚数に綴られている印刷用紙は、特別な印刷用紙として市販されており、また、利用者自らが、印刷用紙を重ね合わせたものでも、同様の印刷処理を行うことができる。
【００７１】
前実施の形態では、各給紙トレイから給紙される部数の設定値（図２の３０７・３０８・３０９・３１０）を設定することで用紙の種類毎に異なる部数設定ができたが、この実施の形態では、同一給紙トレイに異なる種類の用紙が１セットずつ入っているために、用紙の種類毎に異なる部数の設定は出来ない。
【００７２】
例えば、図８に示されているような給紙トレイ１（給紙部の最上段のトレイ）にセットされた３枚綴りの印刷用紙を用いて、１ページの原稿を３枚綴りの伝票として、２セット印刷したい場合は、図１０の３１４、３１５、３１６、３１７の印刷用紙の綴り数の設定箇所のようにプリンタドライバで印刷用紙の綴り枚数を設定できるようにして、カーボンプリントモードでの印刷の際にデジタル複合機１に通知する。
【００７３】
図８の例の場合は、その設定値には給紙トレイ１の印刷用紙の綴り数の設定箇所３１４に“３"と入力する。ここでは、以下、図１０に基づいて説明を行うが、別の方法として、前もって、本体の給紙トレイ設定画面でセットされる印刷用紙が何枚綴りのものであるかの設定を行う方法も考えられる。
【００７４】
図１０の印刷処理指示画面３０１において、カーボンプリントモードを適用するかどうかを決定するチェックボックス３０２にチェックを入れて、カーボンプリント機能を適用し、画面下の各種印刷処理条件の設定を可能にする。そして、給紙トレイ１（２１１ａ）からの給紙を決定するチェックボックス３０３にチェックを入れ、トレイ１の部数入力個所３０７に“２"を入力する。
【００７５】
このとき、印刷、排紙順序の決定項目３１２を「自動」に設定しておき、かつ、装着されている排紙トレイの数が、設定した部数以上（この例では２）ならば、セット単位の仕分けが可能となる。印刷、排紙順の決定方法の詳細は、後述の転送データのフローチャートを示す図１１を用いて行う。
【００７６】
以上の設定を行った後に、設定キー３１３を押下したのちに、通常の印刷キーを押すと、ＰＣ（１）からネットワークを介して、デジタル複合機１に、伝票の印刷処理に関するデータが転送される。
【００７７】
また、例えば、図９に示されているような給紙トレイ１（給紙部の最上段のトレイ）にセットされた３枚綴りの印刷用紙を用いて、3ページの原稿を３種類の用紙に、各１部づつ記録物を作成したい場合は、図１０の３１４、３１５、３１６、３１７の印刷用紙の綴り数の設定箇所のようにプリンタドライバで印刷用紙の綴り枚数を設定できるようにして、カーボンプリントモードでの印刷の際にデジタル複合機１に通知する。
【００７８】
図９の例の場合は、その設定値には給紙トレイ１の印刷用紙の綴り数の設定箇所３１４に“３”と入力する。ここでは、以下の説明は図１０に基づいて行うが、前もって、本体の給紙トレイ設定画面でセットされる印刷用紙が何枚綴りのものか、設定を行う方法も考えられる。
【００７９】
図１０の印刷処理指示画面３０１において、カーボンプリントモードを適用するかどうかを決定するチェックボックス３０２にチェックを入れて、カーボンプリント機能を適用し、画面下の各種印刷処理条件の設定を可能にする。そして、給紙トレイ１（２１１ａ）からの給紙を決定するチェックボックス３０３にチェックを入れ、トレイ１の部数入力個所３０７に“１"を入力する。
【００８０】
このとき、印刷、排紙順序の決定項目３１２を「自動」に設定しておくと、ページ順の印刷となり、また、装着されている排紙トレイの数が、設定した部数以上ならば、部数単位の仕分けが可能となる。印刷、排紙順の決定方法の詳細は、後述の転送データのフローチャートを示す図１１に基づいて行う。
【００８１】
以上の設定を行った後に、設定キー３１３を押下したのちに、通常の印刷キーを押すと、ＰＣ（１）からネットワークを介して、デジタル複合機１に、伝票の印刷処理に関するデータが転送される。
【００８２】
このような記録物に関する上記転送データは、実施の形態１にて、図１に基づいて説明したように、通信部２４０にて受信され、一旦、ハードディスク２５０に保存され、その後、図１１に示すフローチャートに従って、画像形成部２１０にて、印刷処理が行われる。このフローチャートのステップｓ９０１から、ステップｓ９０５までの流れは、実施の形態１で説明した図６におけるステップｓ５０１からｓ５０５までと同じであり説明は省略する。
【００８３】
ステップｓ９０３にて、記録用紙のサイズが適当であると判定されると、ステップｓ９０６にて、原稿が複数ページか１ページかが判定される。原稿が複数ページの場合は、ステップｓ９０８に進み、図１０の印刷処理指示画面３０１の給紙指定トレイの印刷用紙の綴りの枚数の合計、すなわち、用紙の種類の数が、デジタル複合機１の排紙部２２０のトレイ数より多いか、それ以下かを判定する。
【００８４】
排紙トレイの数が、綴り枚数の合計以上ならば、ステップｓ９１０にて、種類単位の出力となる。例えば、図９の場合、給紙トレイ１の綴り数が“３"であり、他の給紙トレイ２，３が“０"のため、合計は“３"で、排紙部２２０のトレイ数と等しくなり、ステップｓ９１０に進む。このとき、印刷順序は、
医師用の１ページ→患者用の１ページ→保管用の１ページ→
→医師用の２ページ→患者用の２ページ→保管用の２ページ→
→医師用の３ページ→患者用の３ページ→保管用の３ページ
のようにページ順となり、これは変更できない。しかし、このときの排紙部２２０への排紙は、医師用の各ページが排紙トレイ１（２２０ａ）へ、患者用の各ページが排紙トレイ２（２２０ｂ）、保管用の各ページが排紙トレイ３（２２０ｃ）となり、種類ごとの整理が可能となる。
【００８５】
このような排紙は、排紙トレイの数が、印刷用紙の種類の数より多くなければできないので、これ以外の条件のとき、即ち、綴り数の合計が、デジタル複合機１の排紙トレイの数より多いときは、ステップｓ９１１にて、ページ順の印刷順序で、同一排紙トレイに出力される排紙動作が行われる（請求項１０参照）。なお、図９の場合は、複数ページの原稿の１セットのカーボンプリントモード印刷であるが、これが、複数ページの原稿の複数セットだった場合は、同様に、印刷用紙の種類ごとの出力を、各排紙トレイに対して行う。
【００８６】
原稿のページ数が１ページのときは、ステップｓ９０９に進み、複合機１の排紙トレイの数が、原稿のセット数、即ち、図１０の各給紙トレイの部数設定箇所３０７、３０８、３０９、３１０の設定値の合計以上であるならば、ステップｓ９１２へ進み、セットごとに各排紙トレイに排紙される。例えば、図９の場合は、給紙トレイ１の部数の設定値が“２”であり、その他の給紙トレイの部数の設定値が“０”であるから、排紙トレイ２２０の方が原稿のセット数“２”より多くなり、ステップｓ９１２へと進む。このとき、印刷順序は、
セット１の１枚目→セット１の２枚目→セット１の３枚目→
→セット２の１枚目→セット２の２枚目→セット２の３枚目
となり、セット１が排紙トレイ１（２２０ａ）へ排紙され、セット２が排紙トレイ２（２２０ｂ）に排紙されセットごとの整理が容易となる。ただし、これは、上記実施例の場合であり、機種によっては、種類ごとの排紙出力としてもよい（請求項９参照）。
【００８７】
これ以外の条件のとき、即ち、排紙トレイ２２０の数が、原稿のセット数より少ないときは、ステップｓ９１１にて、ページ順の印刷順序で、同一排紙トレイにセット毎に出力される排紙動作が行われる（請求項１０参照）。なお、これまでの印刷、排紙の順序に関する記述は、設定が自動であった場合について述べており、利用者による手動の設定も行える。ただし、原稿が１ページかつ、セット数が“１"だった場合については、理論的に印刷、排紙順序の変更はありえない。
【００８８】
最後に、ステップｓ９１３にて、選択された全ての給紙トレイに記録用紙が収容されているか否かを判断する。ステップｓ９１３にて、選択された全ての給紙トレイに記録用紙が収容されていると判定されれば、カーボンプリント機能による印刷処理は終了する。
【００８９】
これに対し、記録用紙が収容されていない給紙トレイが一つでもあると判定されれば、ステップｓ９１４に進み、ＰＣ（１）の印刷処理指示画面３０１（図２参照）、又は、デジタル複合機１の表示部１１２ｂ（図１参照）に、確認メッセージを表示し（図示しない）、ステップｓ９１３に戻り、再び、判定を行う。選択された全ての給紙トレイへ、用紙の補給が完了すれば、カーボンプリント機能による印刷処理は終了する。
【００９０】
また、図示は省略するが、いずれかの単一の給紙トレイ（１〜３）に種類の異なる用紙がランダムに収納されている場合（間違って収納されている場合も含む）においても、各排紙トレイ１〜３に種類毎に選別した状態で印刷物を排紙できるようにすることも可能である。
【００９１】
この場合、少なくとも、印刷処理をおこなう画像形成領域よりも給紙方向の上流側の位置で用紙の種類を判別して、その判別信号を受けた機器制御部２３０からの指令で、排紙トレイ１〜３の位置を変化させることにより、又は、排紙経路を変更することにより、印刷物が、それぞれ種類別に各排紙トレイ１〜３へ選別（区分け、仕分け）されて排出されるようにすればよい。
【００９２】
【発明の効果】
以上の説明から明らかなように、本発明は、以下の効果を奏する。
【００９３】
（１）原稿のページ数が複数の時と１ページの時とで区別を行い、それぞれ適切に選別された状態の印刷物を提供できるように、給紙、印刷、排紙の各動作を制御するので、例えば、原稿が伝票である場合には、その内容が１ページの複数枚綴りの記録物である場合と、原稿のページ数が複数、即ち、冊子形式の記録物である場合と、の間での各動作上の取り扱い区別が可能となり、用途（又は目的）別やセット別等に適切に選別された状態で印刷物を排出させることができ、利便性が向上する。
【００９４】
（２）原稿のページ数が複数の時には、前記印刷物が種類別に排出されるので、例えば、用途別（又は目的別）に異なる種類で排出すれば、従来のように、利用者が手作業で、印刷物を選り分けたり並べ替えるような面倒な手間を省くことができる。
【００９５】
（３）原稿のページ数が１ページであり、伝票のように、種類別の印刷部数がそれぞれ等しい場合、複数枚綴りの一連の記録物を各セット単位で給紙、印刷、排紙を行い、セット別に排出された印刷物を得ることができ、利用者は、排紙後の印刷物の整理、扱いが容易になる。
【００９６】
また、印刷部数が種類別に異なる場合には、各種類単位で給紙、印刷、排紙を行い、例えば、用途別（又は目的別）に排出された印刷物を得ることができ、利用者は、排紙後の印刷物の整理、扱いが容易になる。
【００９７】
（４）原稿のページ数が１ページであり、かつ、前記原稿の内どれか一つの原稿の種類別の印刷部数が複数である場合、印刷物が種類別に排出されるので、例えば、用途別（又は目的別）に排出された印刷物を得ることができ、利用者は、排紙後の印刷物の整理、扱いが容易になる。
【００９８】
（５）複数の排紙手段を備え、印刷物を種類別に異なる排紙手段に排出させるので、カーボンプリントモードでの印刷を行った後、複数の排紙手段（排紙トレイ等）の位置を変化させることにより、又は、排紙経路を変更することにより、排紙過程における印刷物の種類別の選別（区分け、仕分け）作業をより明確に行え、利用者にとっては印刷物の整理、取り扱いがさらに容易となる。
【００９９】
（６）複数の排紙手段を備え、印刷物をセット別に異なる前記排紙手段に排出させるので、カーボンプリントモードでの印刷を行った後、排紙手段（排紙トレイ等）の位置を変化させることにより、又は、排紙経路を変更することにより、排紙過程における印刷物のセット別の選別（区分け、仕分け）作業をより明確に行え、利用者にとっては印刷物の整理、取り扱いがさらに容易となる。
【０１００】
（７）給紙手段には、異なる種類の印刷用紙が任意の枚数収納されており、かつ、原稿のページ数が複数である場合、各印刷物が種類別に異なる前記排紙手段へ排出されるので、例えば、原稿のページ数が２ページの場合、カーボンプリントモードでの印刷を行った後、排紙手段（排紙トレイ等）の位置を変化させることにより、又は、排紙経路を変更することにより、各印刷物が、それぞれ用途別（種類別）に、例えば、３つの異なる排紙手段へ選別（区分け、仕分け）されて排出されるため、印刷物の整理、取り扱いがさらに容易となる。
【０１０１】
（８）給紙手段には、異なる種類の印刷用紙が任意の枚数収納されており、かつ、原稿の出力セット部数が複数の場合、各印刷物がセット別に異なる前記排紙手段へ排出されるので、例えば、原稿が１ページで２セットの場合、カーボンプリントモードでの印刷を行った後、排紙手段（排紙トレイ等）の位置を変化させることにより、又は、排紙経路を変更することにより、記録物を、それぞれセット別に２つの異なる排紙手段へ選別（区分け、仕分け）されて排出されるため、印刷物の整理、取り扱いがさらに容易となる。
【０１０２】
（９）給紙手段には、異なる種類の印刷用紙が任意の枚数収納されており、かつ、原稿の出力セット部数が複数の場合、各印刷物が種類別に異なる前記排紙手段への排出されるので、例えば、原稿が１ページで３セットの場合、カーボンプリントモードでの印刷を行った後、排紙手段（排紙トレイ等）の位置を変化させることにより、又は、排紙経路を変更することにより、印刷物を、それぞれ用途別（種類別）に３つの異なる排紙手段へ選別（区分け、仕分け）されて排出されるため、印刷物の整理、取り扱いがさらに容易となる。
【０１０３】
（１０）排紙手段の数が、印刷用紙の種類の数、もしくは、出力セット部数よりも少ない場合には、同一排紙手段にセット毎の印刷物が排出されるので、どのように分散されて出力されているかを利用者が判別することができ、印刷物の整理、取り扱いに要する手間が少なくなる。
【図面の簡単な説明】
【図１】本発明の実施の形態に係る画像記録装置の構成説明図である。
【図２】同画像記録装置に接続される外部接続機の表示部の説明図である。
【図３】同印刷処理パターンの一例を示す説明図である。
【図４】同印刷処理パターンの別の例を示す説明図である。
【図５】同転送データの一例を示す説明図である。
【図６】同データ受信から排出動作に至る流れを示すフローチャートの一例を示す説明図である。
【図７】同４枚綴りの印刷用紙の説明図である。
【図８】同印刷処理パターンのさらに別の例を示す説明図である。
【図９】同印刷処理パターンの異なる例を示す説明図である。
【図１０】同表示部の別の説明図である。
【図１１】同データ受信から排出動作に至る流れを示すフローチャートの別の例を示す説明図である。
【符号の説明】
１−画像記録装置
２１１ａ，２１１ｂ，２１１ｃ−給紙手段
２２０ａ，２２０ｂ，２２０ｃ−排紙手段
２３０−制御手段
【図１】
2004202993.tif 000003
【図２】
2004202993.tif 000004
【図３】
2004202993.tif 000005
【図４】
2004202993.tif 000006
【図５】
2004202993.tif 000007
【図６】
2004202993.tif 000008
【図７】
2004202993.tif 000009
【図８】
2004202993.tif 000010
【図９】
2004202993.tif 000011
【図１０】
2004202993.tif 000012
【図１１】
2004202993.tif 000013